(57)【要約】【課題】風雪、鳥のいたずら、鳥の重量などの外からの力により架空線に対して固定手段が回転しても、テグスが架空線の上方に常に位置させることができるテグス架線具を提供する。【解決手段】テグス架線具１は、このテグス架線具１を架空線に固定する固定具３と、この固定具３に対し揺動自在に取り付けられ、しかも重心が支点からずれた揺動具５とを備えている。この揺動具５は、固定具３に対し揺動自在に取り付けられている。そのため、このテグス架線具１では、架空線が風等の影響を受け、固定具３が架空線の回りに回転しても、揺動具５が固定具３に対して一定の方向を向いてテグスを支持するので、テグスを架空線の上方に常に位置させることができる。【選択図】　図１
2004072842.tif 000002
【特許請求の範囲】
【請求項１】
架線対象となる架線対象物上にテグスを架線するテグス架線具において、
前記架線対象物に当該テグス架線具を固定する固定手段と、
該固定手段に対し、重心から外れた支点を中心にして揺動自在に取り付けられた揺動手段と、
該揺動手段に形成され、前記テグスを取り付け可能で、当該テグス架線具を前記固定手段で前記架線対象物に取り付けたときに、前記取り付けられたテグスを前記架線対象物の上方に位置する状態で支持するテグス支持手段と
を備えていることを特徴とするテグス架線具。
【請求項２】
請求項１記載のテグス架線具において、
前記固定手段は、
回動自在に連結された一対の挟持具と、
前記各挟持具の非連結側に設けられ、前記一対の挟持具で前記架線対象物を挟むと互いに係合する係合手段と
を備えていることを特徴とするテグス架線具。
【請求項３】
架線対象となる架線対象物上にテグスを架線するテグス架線具において、
前記架線対象物に対し、重心から外れた支点を中心にして揺動自在に取付可能な取付手段と、
前記テグスを取付可能で、当該テグス架線具を前記取付手段で前記架線対象物に取り付けたときに、前記取り付けられたテグスを前記架線対象物の上方に位置する状態で支持するテグス支持手段と
が形成されたことを特徴とするテグス架線具。
【請求項４】
請求項１〜３いずれか記載のテグス架線具において、
上部に、弾性材で形成された枝状の突起部を備えていることを特徴とするテグス架線具。
【発明の詳細な説明】
【０００１】
【発明の属する技術分野】
本発明は、鳥類の飛来などにより発生する糞害や、電気事故が発生しないようにする鳥害防止具であって、テグスを架空線等の架線対象物に架線するためのテグス架線具に関する。
【０００２】
【従来の技術】
従来より、架空線に鳥が止まることで発生する糞害や電気事故を防止するため、架空線から所定距離上方にテグスを架線するテグス架線具がある。
テグス架線具は、このテグス架線具を架空線に固定する固定部と、このテグス架線具を架空線に取り付けたとき架空線の径方向に沿って立設された状態になるように固定部に一体に形成された立設部と、この立設部の遊端側に形成されたテグス取付部とを備え、テグス取付部が架空線の上方に位置するように架空線に固定される。
【０００３】
そして、このテグス架線具は、所定間隔毎に架空線に取り付けられ、テグスは、テグス取付部を介して各テグス架線具間に架け渡され、架空線の上方に架線される。
【０００４】
【発明が解決しようとする課題】
しかし、従来のテグス架線具は、風雪、鳥のいたずら、鳥の重量などの外からの力により架空線に対して固定部が回転し、この固定部に立設された立設部がテグスを架空線上に配置する方向とは異なる方向を向いてしまい、その結果テグスが架空線の上方からズレてしまうことがあったため、本来の鳥害防止の機能が果たされなかった。
【０００５】
そこで本発明では、架空線等の架線対象物が、風雪、鳥のいたずら、鳥の重量などの外からの力を受け回転しても、テグスを架空線の上方に常に位置させることができるテグス架線具を提供することを目的とする。
【０００６】
【課題を解決するための手段及び発明の効果】
上記目的を達するためになされた請求項１記載の発明は、架線対象となる架線対象物上にテグスを架線するテグス架線具において、前記架線対象物に当該テグス架線具を固定する固定手段と、該固定手段に対し、重心から外れた支点を中心にして揺動自在に取り付けられた揺動手段と、該揺動手段に形成され、前記テグスを取り付け可能で、当該テグス架線具を前記固定手段で前記架線対象物に取り付けたときに、前記取り付けられたテグスを前記架線対象物の上方に位置する状態で支持するテグス支持手段とを備えていることを特徴とする。
【０００７】
本発明のテグス架線具では、揺動手段は、固定手段に対し重心から外れた支点を中心に揺動自在に取り付けられるので、固定手段が架線対象物に対して回転してもこの回転とは関係なく一定の方向を向く。そのため、このテグス架線具を用いてテグスを架線すれば、固定手段が回転してもテグスを架線対象物上に位置させる状態で支持することができるのである。
【０００８】
従って、本発明のテグス支持手段を用いれば、風雪、鳥のいたずら、鳥の重量などの外からの力により架空線に対して固定手段が回転しても、テグスを架空線の上方に常に位置させることができる。
次に、請求項２記載の発明のように、固定手段は、回動自在に連結された一対の挟持具と、各挟持具の非連結側に設けられ、一対の挟持具で架線対象物を挟むと互いに係合する係合手段とを備えていることが好ましい。この固定手段では、回動自在に連結された一対の挟持具で架線対象物を挟むと係合手段が係合し、挟持具で架線対象物を把持した状態が維持される。従って、本発明のテグス架線具を用いれば一対の挟持部で架線対象物を挟んで閉じるだけの簡単な操作で、当該テグス架線具を架線対象物に固定することができる。
【０００９】
次に、請求項３記載の発明は、架線対象となる架線対象物上にテグスを架線するテグス架線具において、前記架線対象物に対し、重心から外れた支点を中心にして揺動自在に取付可能な取付手段と、前記テグスを取り付け可能で、当該テグス架線具を前記取付手段で前記架線対象物に取り付けたときに、前記取り付けられたテグスを前記架線対象物の上方に位置する状態で支持するテグス支持手段とが形成されたことを特徴とする。
【００１０】
本発明のテグス架線具は、取付手段が架線対象物に対し重心から外れた支点を中心に揺動自在に取り付けられているので一定の方向を向いて取り付けられる。そのためこのテグス架線具を用いると、架線対象物が外力を受けてもテグスを常に架線対象物上に位置させる状態で支持することができる。
【００１１】
次に、請求項４記載の発明のように、上部に、弾性材で形成された枝状の突起部を備えていることが好ましい。この突起部を備えていればテグス架線具に鳥が止まることを防止することができる。また、鳥は、突起部に止まろうとしても突起部が弾性材で形成されているため、鳥が突起部に止まった瞬間に鳥の重みで折れ曲がり驚く。そのため、この突起部を弾性材で形成すればテグス架線具に鳥がとまることをより効果的に防止することができる。
【００１２】
【発明の実施の形態】
［第１実施形態］
次に、本発明が適用された第１実施形態について説明する。
尚、以下の説明で利用する図面のうち、図１はテグス架線具の斜視図、図２は側面である。
【００１３】
本実施形態のテグス架線具１は、図１に示すように、固定具３（本発明の固定手段に相当）と、シャフト４と、揺動具５（本発明の揺動手段に相当）とを備えている。
このうち固定具３は長尺状に形成された一対の挟持具３０ａ，３０ｂからなり、各挟持具３０ａ，３０ｂは、各挟持具３０ａ，３０ｂの長手方向一端を支点としてシャフト４に対し回動自在に取り付けられている。具体的には、各挟持具３０ａ，３０ｂの長手方向一端には、このシャフト４を挿通可能な大きさの断面円筒状の連結部３１ａ，３１ｂが形成され、各挟持具３０ａ，３０ｂは、シャフト４をこの連結部３１ａ，３１ｂに挿通することによって、シャフト４に対し回動自在に取り付けられている。また、この固定具３の一方の挟持具３０ｂには、一対の連結部３１ｂ，３１ｂが形成されている。そして、この固定具３は、挟持具３０ｂの連結部３１ｂ、３１ｂの間に、他方の挟持具３０ａの連結部３１ａが配置された状態でシャフト４に取り付けられる。このように取り付けることで、この固定具３は、挟持具３０ａ，３０ｂが互いにシャフト４の軸方向にずれないようにされている。
【００１４】
この固定具３の各挟持具３０ａ，３０ｂは、連結部３１ａ，３１ｂに隣接して、断面半円状の把持部３２ａ，３２ｂが形成されている。この把持部３２ａ，３２ｂは、挟持部３０ａ、３０ｂをシャフト４の回りに回動させて重ねたとき、架空線の外周面を囲って把持することが可能な円筒となるよう形成されている。
【００１５】
この固定具３の各挟持具３０ａ，３０ｂは、この把持部３２ａ、３２ｂから見て連結部３１ａ，３１ｂとは反対側（非連結側）に、板状の操作部３３ａ，３３ｂが形成されている。このうち挟持具３０ａの操作部３３ａは、挟持具３０ｂの操作部３３ｂよりも幅が小さく形成されている。一方、操作部３３ｂの長さ方向略中央の幅方向の両端部には、挟持部３０ａ、３０ｂをシャフト４の回りに回動させて重ねたとき、操作部３３ａに係合する一対の係合片３４、３４（図２参照）（本発明の係合手段に相当）が設けられている。
【００１６】
このように形成された固定具３では、操作部３３ａ，３３ｂを操作し挟持具３０ａ，３０ｂをシャフト４の回りに回動させて挟持具３０ａ，３０ｂを開き、架線されている架空線α（図２参照）を把持部３２ａ、３２ｂの間に挟み、操作部３３ａ，３３ｂが重なるように挟持具３０ａ，３０ｂを閉じると、操作部３３ａと係合片３４，３４とが係合して、把持部３２ａ，３２ｂで架空線を把持した状態が維持され、この固定具３が架空線に固定される。
【００１７】
次に、揺動具５は、弓状に形成された第１揺動部５０と、第１揺動部５０と合わせた形状が略逆Ｙ字状になるよう、第１揺動部５０の中央から延出された長尺状の第２揺動部５２とからなり、第１揺動具５０の中央部分でシャフト４に揺動自在に取り付けられている。そして第１揺動部５０の両端部には錘５４、５４が取り付けられ、これら錘５４，５４は、テグス架線具１が架空線αに取り付けられたとき、架空線αから水平方向に所定距離離れた位置に配置される。一方、第２揺動部５２は長手方向に沿ってテグス取付孔５６（本発明のテグス支持手段に相当）が複数形成されている。そのためこのテグス架線具１を用いてテグスβを架線する場合は、いずれかのテグス取付孔５６にテグスを通して架線する。さらにこのテグス架線具１は、第２揺動部５２の遊端（上部）に、ゴムなどで形成され４方及び上方に延出された枝状の突起５８、…５８を備えている。
【００１８】
この揺動具５では、錘５４として、テグス取付孔５６にテグスβを通して架空線αにテグスβを張ったとき（図２参照）、支点となるシャフト４よりも重心が下方に位置する重さのものが用いられている。そのため、この揺動具５は、固定具３に対し重心から外れた支点を中心に揺動自在に取り付けられるので、固定具３が架空線αに対して回転しても、第２揺動部５２が上方に向かって立設されるよう、揺動具５が常に一定の方向を向く。従って、このテグス架線具１を用いてテグスβを架線すれば、テグスβは、架空線αの上方に常に位置する状態で支持される。
【００１９】
以上説明した本実施形態のテグス架線具１を用いると、風雪、鳥のいたずら、鳥の重量などの外からの力により架空線に対して固定具３が回転しても、テグスβを架空線αの上方に常に位置させることができる。
また、本実施形態のテグス架線具１を用いると、操作部３３ａ，３３ｂを開き、架空配線線αを把持部３２ａ，３２ｂの間に挟んで、操作部３３ａ，３３ｂを閉じるだけの簡単な操作で、架空線αに固定することができる。
【００２０】
さらに本実施形態のテグス架線具１を用いると、この突起５８、…５８を備えており、鳥がテグス架線具１に近づくことを防止することができる。また、鳥は、突起５８，…５８に止まろうとしても弾性材で形成されているため、鳥が突起５８，…５８に止まった瞬間に鳥の重みで折れ曲がり驚く。そのため、この突起５８，…５８を弾性材で形成すればテグス架線具１に鳥がとまることをより効果的に防止することができる。
【００２１】
尚、上記第１実施形態では、揺動中心（シャフト４への取り付け部分）から左右両側に延出された第１揺動部５０の両端に錘５４が取り付けられた揺動部５を用いたが、揺動部５の形状は上記第１実施形態のような形状に限定されるものではなく、例えば、図３、図５及び図７〜図９に示すように、揺動中心から一方の側にのみ延出され、架空線αの側面を通ってその下方に至る弓状の第１揺動部５０を備え、この第１揺動部５０の遊端、すなわち架空線αの下方の端部に錘５４を設置した片持ちの揺動部５を用いてもよい。
【００２２】
また、上記第１実施形態では、揺動中心から架空線αの両横に伸びる第１揺動部５０を備え、その両遊端に錘５４，５４を備えたが、図４に示すように、第２揺動部５２の下端に錘塊５４ａを一体に取り付け、揺動具５全体が、架空線αの上方で揺動するよう構成してもよい。第１実施形態では、固定部３が大きく回転すると第１揺動部５０が架空線αに引っかかって固定部３とともに回転して、テグスβが架空線αの上方からズレてしまう恐れがあるが、図４のように構成すると、例えば固定具３が９０度回転しても、錘塊５４ａが架空線αの横で揺動するとともに、テグスβを架空線αの上方に配置させることができる。尚、このように構成するためには、図４に示すように、固定部３の上端に、錘塊５４ａが揺動自在な揺動スペース３９を設け、その揺動スペース３９の上端にシャフト４を設け、このシャフト４と揺動スペース３９で囲まれた空間で錘塊５４ａが揺動するよう構成するとよい。
【００２３】
また、上記第１実施形態では、第２揺動部５２にテグス取付孔５６が形成されたものについて説明したが、図３に示すように、第２揺動部５０の側面にテグス取付溝５６ａを形成し、この溝５６ａにテグスを引っかけて、テグスβを第２揺動部５０に取り付けてもよく、図５に示すように、テグスβを上下から弾性力で挟み込むことによってテグスβを止める止具５７を用いてテグスβを止めてもよいことはもちろんである。また、第２揺動部５２そのものについても、二又、あるいは３又状に形成されていてもよく、各第２揺動部５２にテグス取付溝５６ａを形成してもよい。
【００２４】
また、上記第１実施形態では、挟持部３０ａ，３０ｂからなる固定部３を用いて、架空線αを挟持して固定するテグス架線具１について説明したが、図５に示すように、結束バンド３５を備える固定部３を用いて固定してもよい。この図５に示すテグス固定具１は、第２揺動部５２の下端に円盤状の支点部５２ａが形成され、結束バンド３５を備える固定具３にはこの支点部５２ａを包んで、内部でこの支点部５２ａを摺動自在に支持する支持部４１を備えている。そしてこのテグス架線具１は、揺動具５が支持部４１内に収納された支点部５２ａを支点に固定部３に対し揺動自在に形成されている。また、この図５記載のテグス架線具１は、第２揺動部５２が４本の骨組みで構成されており、非常に軽く構成することができる。
【００２５】
また、上記第１実施形態では、シャフト４に揺動具５を回動自在に取り付けることによって、揺動具５を固定具３に対し回動自在に形成したが、図６に示すように、固定具３を架空線αと同軸な略円筒状に形成し、この固定具３を挿通可能な回転孔５９を揺動具５に設け、揺動具５が回転孔５９を介して固定具３の外周面の回りを回転自在に形成してもよい。このように形成されたテグス架線具１では、揺動具５が固定具３の軸方向に移動しないよう、固定具３の外周面に溝４２を設け、揺動具５はその溝４２内を回動するよう固定具３に取り付ければよい。この図６記載のテグス架線具１のように形成すると、第２揺動部５２が架空線αの回りを周回するので、第１実施形態のテグス架線具１に比べ、架空線αに邪魔されずに揺動する。
【００２６】
また、上記第１実施形態では、固定具３に設けられた把持部３０で直接架空線αを把持するよう構成したが、図４及び図７に記載したテグス架線具１のように、ゴム製の絶縁物７を介して架空線αを把持するよう構成してもよい。このようにすると、テグス架線具１の絶縁性が向上するので、間接活線工法（工具等を介して作業員が活線に触れる作業を伴う工法）によるこのテグス架線具１の取り付けが可能となる。また、このゴム製の絶縁物７は、馬蹄状に形成され、特に開口部分が架空線αの径より小さく形成されているので、このゴム製の絶縁物７を用いれば、係合片３４，３４を操作部３３ａに係合させてこのテグス架線具１を架空線αに止めなくても、架空線αから落ちないように取り付ける、いわゆる仮止めを行うことができる。また、このゴム性の絶縁物７の輪の径を架空線αより小さく形成すれば、テグス架線具１を架空線の回りに回転しないよう仮止めすることもでき、また、係合片３４，３４を操作部３３ａに係合させて架空線αに止める本締めを行う際、ゴムが縮んでテグス架線具１を強力に把持するので、テグス架線具１が架空線αの回りに回転することを確実に防止することができる。
【００２７】
さらに、本実施形態のテグス架線具１は、図７に示すように、操作部３３ａの先端に外側に傾斜したつまみ部３３ｃを形成するとよい。このようにすると本実施形態のテグス架線具１を取り付けるとき、このつまみ部３３ｃを図８に示すように間接活線用工具で摘んで下方からテグス架線具１を持ち上げ、このテグス架線具１を架空線αの横を通過させて横移動させれば、図９に示すようにこのテグス架線具１を架空線αに簡単に取り付けることができるからである。
［第２実施形態］
次に、第２実施形態について説明する。尚、第１実施形態で説明したものと同一のものについては、同じ符号を付して説明する。
【００２８】
ここで図１０は、本実施形態のテグス架線具の斜視図である。
本実施形態のテグス架線具１００は、架空線αに取り付けられた電線カバーγ（ポリエチレン製）の外周面に沿った略円筒状に形成され、電線カバーγに取付可能に形成された二股状の取付部１１０を備えている。そしてその取付部１１０（本発明の取付手段に相当）の二股に分かれた先端にはそれぞれ錘１２０，１２０が取り付けられている。そのため、このテグス架線具１００を電線カバーγに取り付けると、錘１２０，１２０の重みで回動して、錘１２０，１２０が下方に位置して安定する。すなわち、このテグス架線具１００は、錘１２０，１２０を備えることにより取付部１１０が電線カバーγに対し重心から外れた支点を中心に揺動自在に取り付けられるので一定の方向を向いて取り付けられる。
【００２９】
またこのテグス架線具１００は、電線カバーγに取り付けたとき、上方に向かって延出される第２揺動部５４を備えている。
一方電線カバーγには、当該テグス架線具１００が電線カバーγの長さ方向にずれないよう、ストッパーδが形成されている。
【００３０】
以上のように構成されたテグス架線具１００を用いれば、テグス架線具１００が電線カバーγに対し一定方向を向いて懸架されるので、電線カバーγが外力を受けてもテグスβを常に電線カバーγ上に位置させる状態で支持することができる。また、テグス架線具１００を電線カバーγに取り付けておくことにより、架空線αへの取り付け作業の時間が短縮できる。
【００３１】
ところで、上記第２実施形態では、電線カバーγの下方に伸びた部分を切り取って、本実施形態のテグス架線具１００を取り付けたが、図１１，図１２に示すように、第２実施形態で切り取った部分をも囲うカバー１５０を取り付け、このカバー１５０にストッパーδを形成し、そのカバー１５０にテグス架線具１００を回転可能に取り付けてもよい。
【００３２】
また、第１実施形態のように、第２揺動部５４の遊端に突起５８を形成してもよい。
尚、本発明の実施の形態は、上記実施形態に何ら限定されるものではなく、本発明の技術的範囲に属する限り種々の形態を採り得ることはいうまでもない。
【００３３】
例えば、上記実施形態では、架線対象物である架空線や電線カバーに取り付ける例について説明したが、ベランダ、鉄塔、建造物等に取り付けられている手すりや、物干し竿等に取り付けてもよいことはもちろんである。
また、本実施形態では、テグスを架線するものについて説明したが、テグスの他に、テニスやバドミントンで用いられるガット等、架線可能な材料であれば、どのような材料を架線してもよい。
【００３４】
さらに、本実施形態では、架空線αの真上にテグスβが配置される構造のものについて説明したが、テグスβは架空線αの斜め上方に配置されていてもよく、要は、鳥が架空線αに止まりにくい、あるいは止まれない位置にテグスが配置されていればよい。
【図面の簡単な説明】
【図１】第１実施形態のテグス架線具の斜視図である。
【図２】第１実施形態のテグス架線具の側面図である。
【図３】第１実施形態のテグス架線具の変形例の斜視図である。
【図４】第１実施形態のテグス架線具の変形例の斜視図である。
【図５】第１実施形態のテグス架線具の変形例の斜視図である。
【図６】第１実施形態のテグス架線具の変形例の斜視図である。
【図７】第１実施形態のテグス架線具の変形例の斜視図である。
【図８】第１実施形態のテグス架線具の変形例の斜視図である。
【図９】第１実施形態のテグス架線具の変形例の斜視図である。
【図１０】第２実施形態のテグス架線具の斜視図である。
【図１１】第２実施形態のテグス架線具の変形例の正面図である。
【図１２】第２実施形態のテグス架線具の変形例の側面図である。
【符号の説明】
１、１００…テグス架線具、３…固定具、４…シャフト、５…揺動具、３１ａ，３１ｂ…連結部、３２ａ，３２ｂ…把持部、３３ａ、３３ｂ…操作部、３４…係子具、５０…第１揺動部、５２…第２揺動部、５４…錘、５６…テグス取付孔、５８…突起
【図１】
2004072842.tif 000003
【図２】
2004072842.tif 000004
【図３】
2004072842.tif 000005
【図４】
2004072842.tif 000006
【図５】
2004072842.tif 000007
【図６】
2004072842.tif 000008
【図７】
2004072842.tif 000009
【図８】
2004072842.tif 000010
【図９】
2004072842.tif 000011
【図１０】
2004072842.tif 000012
【図１１】
2004072842.tif 000013
【図１２】
2004072842.tif 000014